(57)【要約】【課題】Ａｄｖａｎｃｅｄ−ＥＵＴＲＡの移動局装置に対して、効率の良い間欠受信の動作を提供する。【解決手段】複数のコンポーネントキャリアを使用して基地局装置と接続して通信を行う移動局装置において、複数のコンポーネントキャリアの少なくとも一つで、所定の期間にわたって基地局から自局宛の受信を検出しない場合に、少なくとも一つのコンポーネントキャリアでの受信を非活性化する。【選択図】図８
2014158298.tif 000002
【特許請求の範囲】
【請求項１】
複数のコンポーネントキャリアを使用して基地局装置と接続して通信を行う移動局装置であって、
１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、前記全コンポーネントキャリアで受信ＯＮ期間を延長する間欠受信を行うものであり、
前記間欠受信中において、
前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで受信することを特徴とする移動局装置。
【請求項２】
複数のコンポーネントキャリアを使用して移動局装置と接続して通信を行う基地局装置であって、
１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで前記移動局装置宛の制御チャネルを受信した場合に、前記全コンポーネントキャリアで受信ＯＮ期間を延長する間欠受信を前記移動局装置に指示するものであり、
前記間欠受信中において、
前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで送信することを特徴とする基地局装置。
【請求項３】
複数のコンポーネントキャリアを使用して基地局装置と接続して通信を行う移動局装置における処理方法であって、
１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、前記全コンポーネントキャリアで受信ＯＮ期間を延長する間欠受信を前記移動局装置が行うものであり、
前記間欠受信中において、
前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記移動局装置が受信することを特徴とする処理方法。
【請求項４】
複数のコンポーネントキャリアを使用して移動局装置と接続して通信を行う基地局装置における処理方法であって、
１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで前記移動局装置宛の制御チャネルを受信した場合に、前記全コンポーネントキャリアで受信ＯＮ期間を延長する間欠受信を前記移動局装置に指示するものであり、
前記間欠受信中において、
前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記基地局装置が送信することを特徴とする処理方法。
【請求項５】
複数のコンポーネントキャリアを使用して基地局装置と接続して通信を行う移動局装置に実装される処理装置であって、
１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、前記全コンポーネントキャリアで受信ＯＮ期間を延長する間欠受信を前記移動局装置に行わせるものであり、
前記間欠受信中において、
前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記移動局装置に受信させることを特徴とする処理装置。
【請求項６】
複数のコンポーネントキャリアを使用して移動局装置と接続して通信を行う基地局装置に実装される処理装置であって、
１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで前記移動局装置宛の制御チャネルを受信した場合に、前記全コンポーネントキャリアで受信ＯＮ期間を延長する間欠受信を前記移動局装置に指示させるものであり、
前記間欠受信中において、
前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記基地局装置に送信させることを特徴とする処理装置。
【発明の詳細な説明】
【技術分野】
【０００１】
移動局装置、通信システム及び間欠受信方法に関連し、より詳細には、間欠受信時の動作における移動局装置、通信システム及び間欠受信方法に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
一方、３ＧＰＰでは、第三世代無線アクセスの進化（Evolved Universal Terrestrial Radio Access；以下、「ＥＵＴＲＡ」と呼称する）の標準化が進められている。
【０００３】
ＥＵＴＲＡの下りリンクの通信方式として、マルチパス干渉に強く、高速伝送に適したＯＦＤＭ（Orthogonal Frequency Division Multiplexing）方式を採用している。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform）−ｓｐｒｅａｄ  ＯＦＤＭ方式を採用している。
【０００４】
ＥＵＴＲＡの下りリンクとして、ＯＦＤＭ（Orthogonal Frequency Division Multiplexing）方式が提案されている。また、ＥＵＴＲＡの上りリンクとして、ＤＦＴ（Discrete Fourier Transform）−ｓｐｒｅａｄ  ＯＦＤＭ方式のシングルキャリア通信方式が提案されている。
【０００５】
図１２に示すように、ＥＵＴＲＡの下りリンクでは、下りリンクパイロットチャネルＤＰｉＣＨ（Downlink Pilot Channel）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、共通制御チャネルＣＣＰＣＨ（Common Control Physical Channel）により構成されている。
【０００６】
ＥＵＴＲＡの上りリンクでは、上りリンクパイロットチャネルＵＰｉＣＨ（Uplink Pilot Channel）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている（非特許文献１、２）。
【０００７】
下りリンクの構成を図１３、図１４に示す。１リソースブロックは、１２本のサブキャリアと７つのＯＦＤＭシンボルから構成される。そして、２つのリソースブロックを使用して、１サブフレームを構成し、最低１つの移動局装置に下りリンク共用チャネルＰＤＳＣＨの割り当てを行う。
この時、下りリンク制御チャネルＰＤＣＣＨは、先頭のリソースブロックの中で１〜３シンボル目を使用し、下りリンク共用チャネルＰＤＳＣＨは、残りのＯＦＤＭシンボルを使用する。また、下りリンクパイロットチャネルＤＰｉＣＨは、図２１に示すようにリソースブロックの中でＳｃａｔｔｅｒｅｄ（スキャッタード）形式で配置される。尚、図１３は基地局装置の送信アンテナが２本の場合の例であり、２種類のパイロットシンボルが存在する例である。尚、複数のリソースブロックから下りリンクが構成される。
【０００８】
下りリンク制御チャネルＰＤＣＣＨ及び下りリンク共用チャネルＰＤＳＣＨの受信には、連続受信モードと間欠受信（ＤＲＸ：Discontinuous Reception）モードがある。図１５に示すように、間欠受信モードは、基地局装置と接続中の移動局装置の消費電力を抑えるために導入している。
間欠受信モードは基地局装置から移動局装置に間欠受信に関するパラメータ（受信ＯＮ期間やＤＲＸ間隔、ＤＲＸ開始位置など）が指定された後、連続受信モードで下りリンク制御チャネルＰＤＣＣＨ及び下りリンク共用チャネルＰＤＳＣＨの受信の受信がなくなるとＤＲＸ開始位置から間欠受信モードに移行する。
【０００９】
間欠受信モードに入ると、基地局装置で指定された受信期間に下りリンク制御チャネルＰＤＣＣＨをモニタして、下りリンク制御チャネルＰＤＣＣＨに自移動局装置宛の下りリンク制御データを検出した場合、受信ＯＮ期間を延ばし、更に下りリンク制御チャネルＰＤＣＣＨ、下りリンク共用チャネルＰＤＳＣＨのデータ受信の為の準備をする。
【００１０】
間欠受信モードには、Ｓｈｏｒｔ  ＤＲＸとＬｏｎｇ  ＤＲＸがあり、ＬｏｎｇＤＲＸはＳｈｏｒｔ  ＤＲＸに比べ、ＤＲＸ間隔が長いＤＲＸである。最初にＳｈｏｒｔ  ＤＲＸから間欠受信モードに入る。そして、ある一定期間に下りリンク制御チャネルＰＤＣＣＨで下りリンク共用チャネルＰＤＳＣＨの割り当てがされない場合にＳｈｏｒｔ  ＤＲＸからＬｏｎｇ  ＤＲＸに移行する。図１６に連続受信、Ｓｈｏｒｔ  ＤＲＸとＬｏｎｇ  ＤＲＸの関係を示す。尚、Ｓｈｏｒｔ  ＤＲＸ間隔は  ２ｍｓ〜６４０ｍｓの間隔があり、Ｌｏｎｇ  ＤＲＸ間隔は１０ｍｓ〜２５６０ｍｓの間隔があり、それぞれが基地局装置から指定される。
【００１１】
間欠受信に関するパラメータには、ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす受信ＯＮ延長期間、ＤＲＸ開始位置、再送時の受信ＯＮ期間などがあり、ＲＲＣレイヤ（Radio Resource Control Layer）のメッセージで移動局装置に送られる（非特許文献３、４、５）。
【００１２】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンク及び下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行うことを想定している。
そして、図１７に示すように、Ａｄｖａｎｃｅｄ−ＥＵＴＲＡでは、１００ＭＨｚの帯域をＥＵＴＲＡの移動局装置も収容できるようにＥＵＴＲＡの２０ＭＨｚの帯域を複数個束ねることで、１００ＭＨｚ帯域を実現することを考えている。尚、Ａｄｖａｎｃｅｄ−ＥＵＴＲＡでは、ＥＵＴＲＡの１つの２０ＭＨｚの帯域をコンポーネントキャリア（Component Carrier：ＣＣ）と呼んでいる。
【先行技術文献】
【非特許文献】
【００１３】
【非特許文献１】3GPP TS(Technical Specification)36.211、V8.50(2008-012)、Technical Specification Group Radio Access Network、Physical Channel and Modulation(Release 8)
【非特許文献２】3GPP TS(Technical Specification)36.212、V8.50(2008-012)、Technical Specification Group Radio Access Network、Multiplexing and channel coding(Release 8)
【非特許文献３】3GPP TS(Technical Specification)36.300、V8.70(2008-012)、Evolved Universal Terrestrial Radio Access(E-UTRA) and Evolved Universal Terrestrial Radio Access Network(E-UTRAN)、Overall description Stage2
【非特許文献４】3GPP TS(Technical Specification)36.321、V8.40(2008-012)、Evolved Universal Terrestrial Radio Access(E-UTRA) Medium Access Control(MAC) protocol specification
【非特許文献５】3GPP TS(Technical Specification)36.331、V8.40(2008-012)、Evolved Universal Terrestrial Radio Access(E-UTRA) Radio Resource Control(RRC) Protocol specification
【発明の概要】
【発明が解決しようとする課題】
【００１４】
Ａｄｖａｎｃｅｄ−ＥＵＴＲＡでも、ＥＵＴＲＡと同様に基地局装置と接続中の移動局装置は、連続受信モードと間欠受信モードを持ち、基地局装置からのデータ量により間欠受信での受信処理を行うことが考えられるが、詳細は決まっていない。また、Ａｄｖａｎｃｅｄ−ＥＵＴＲＡの移動局装置が処理する帯域はＥＵＴＲＡの移動局装置より広いので消費電力は大きくなるが、間欠受信モードでの移動局装置の消費電力は、ＥＵＴＲＡの移動局装置と同等程度の消費電力が求められる。
【００１５】
本発明は、上記問題を解決するものであり、Ａｄｖａｎｃｅｄ−ＥＵＴＲＡの移動局装置に対して、効率の良い間欠受信の動作を提供することを目的とした基地局装置、移動局装置を提供することである。
【課題を解決するための手段】
【００１６】
（１）上記の目的を達成するため、本発明は、以下のような手段を講じた。すなわち、複数のコンポーネントキャリアを使用して基地局装置と接続して通信を行う移動局装置であって、１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、前記全コンポーネントキャリアで受信ＯＮ期間を延長する間欠受信を行うものであり、前記間欠受信中において、前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで受信することを特徴としている。
【００１７】
（２）本発明の基地局装置は、複数のコンポーネントキャリアを使用して移動局装置と接続して通信を行う基地局装置であって、１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで前記移動局装置宛の制御チャネルを受信した場合に、前記全コンポーネントキャリアで受信ＯＮ期間を延長する間欠受信を前記移動局装置に指示するものであり、前記間欠受信中において、前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで送信することを特徴としている。
【００１８】
（３）本発明の処理方法は複数のコンポーネントキャリアを使用して基地局装置と接続して通信を行う移動局装置における処理方法であって、１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、前記全コンポーネントキャリアで受信ＯＮ期間を延長する間欠受信を前記移動局装置が行うものであり、前記間欠受信中において、前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記移動局装置が受信することを特徴としている。
【００１９】
（４）本発明の処理方法は、複数のコンポーネントキャリアを使用して移動局装置と接続して通信を行う基地局装置における処理方法であって、１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで前記移動局装置宛の制御チャネルを受信した場合に、前記全コンポーネントキャリアで受信ＯＮ期間を延長する間欠受信を前記移動局装置に指示するものであり、前記間欠受信中において、前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記基地局装置が送信することを特徴としている。
【００２０】
（５）本発明の処理装置は、複数のコンポーネントキャリアを使用して基地局装置と接続して通信を行う移動局装置に実装される処理装置であって、１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、前記全コンポーネントキャリアで受信ＯＮ期間を延長する間欠受信を前記移動局装置に行わせるものであり、前記間欠受信中において、前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記移動局装置に受信させることを特徴としている。
【００２１】
（６）本発明の処理装置は、複数のコンポーネントキャリアを使用して移動局装置と接続して通信を行う基地局装置に実装される処理装置であって、１つの間欠受信パラメータを前記移動局装置が利用している全コンポーネントキャリアに対して適用し、全コンポーネントキャリアで制御チャネルをモニタリングする動作を行い、受信ＯＮ期間に１つ以上のコンポーネントキャリアで前記移動局装置宛の制御チャネルを受信した場合に、前記全コンポーネントキャリアで受信ＯＮ期間を延長する間欠受信を前記移動局装置に指示させるものであり、前記間欠受信中において、前記複数のコンポーネントキャリアの少なくとも一つであって、前記コンポーネントキャリアごとに設定されている有効期間にわたって前記移動局が前記基地局装置から自局宛の受信を検出できなかったことに基づいて非活性化された前記コンポーネントキャリアを活性化するメッセージを、前記間欠受信を行っている前記コンポーネントキャリアであって、前記非活性化されたコンポーネントキャリアと異なるコンポーネントキャリアで前記基地局装置に送信させることを特徴としている。
【発明の効果】
【００２２】
移動局装置が複数のコンポーネントキャリアを有している場合の間欠受信動作において、消費電力が低減できる。
【図面の簡単な説明】
【００２３】
【図１】本発明の実施例１の間欠受信時の移動局装置の動作例を示す図である。
【図２】本発明の実施例１の移動局装置の構成図である。
【図３】本発明の実施例１の移動局装置の受信処理部の構成図である。
【図４】本発明の実施例１の移動局装置の送信処理部の構成図である。
【図５】本発明の実施例２の間欠受信時の移動局装置の動作例を示す図である。
【図６】本発明の実施例３の間欠受信時の移動局装置の動作例を示す図である。
【図７】本発明の実施例４の間欠受信時の移動局装置の動作例を示す図である。
【図８】本発明の実施例５の間欠受信時の移動局装置の動作例を示す図である。
【図９】本発明の実施例５の移動局装置の構成図である。
【図１０】本発明の実施例６の間欠受信時の移動局装置の動作例を示す図である。
【図１１】本発明の実施例７の間欠受信時の移動局装置の動作例を示す図である。
【図１２】ＥＵＴＲＡのチャネル構成例を示す図である。
【図１３】下りリンクの構成例を示す図である。
【図１４】下りリンクの構成例を示す他の図である。
【図１５】ＤＲＸの動作例を示す図である。
【図１６】ＤＲＸの動作例を示す他の図である。
【図１７】コンポーネントキャリアを説明するための図である。
【発明を実施するための形態】
【００２４】
（実施例１）
図１４のようなシステムを複数個（または、複数帯域）利用してできるシステムで図１７の様なシステムを想定する。また、図１５、図１６で説明したように下りリンク共用チャネルＰＤＳＣＨ受信には連続受信モードと間欠受信（ＤＲＸ：Discontinuous Reception）モードがある通信システムを想定する。尚、１つの帯域のことをコンポーネントキャリア（Component Carrier：ＣＣ）と呼ぶ。
【００２５】
現状では、複数のＣＣを受信する場合は、下位層（物理層）では、ＣＣ毎にデータを処理するように考えられている。つまり、ＣＣ毎で送られるデータが異なり、下位層での再送処理もＣＣ単位で行うように考えている。
この為、基地局装置がＣＣ毎にＤＲＸパラメータを送信し、移動局装置がＣＣ毎にＤＲＸ制御を行った場合、ＣＣ毎に別々の動作を行ってしまうので、ＤＲＸ効果はあまり無くなってしまう。よって、全ＣＣで同じＤＲＸ動作をするようにすることで、ＤＲＸする効果が得られる。
【００２６】
移動局装置の動作を説明する。
基地局装置は、複数あるＣＣの内のいずれか１つのＣＣを通してＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。移動局装置は、ＤＲＸパラメータを受信すると基地局装置から指示されたＤＲＸ開始位置からＤＲＸ制御を開始する。移動局装置は、基地局装置から渡さされたＤＲＸパラメータを全ＣＣに適用し、ＤＲＸ開始位置から全ＣＣに対して図１に示したようにＤＲＸ制御する。
【００２７】
受信ＯＮ期間にあるＣＣで下りリンク制御チャネルＰＤＣＣＨで自移動局装置宛の制御データを受信した場合、図１に示したように全ＣＣで受信ＯＮ期間を延ばす。この様にすることで、基地局装置が全ＣＣに下りリンク制御チャネルＰＤＣＣＨを送信しなくても、１つの下りリンク制御チャネルＰＤＣＣＨを送信し、移動局装置は１つの下りリンク制御チャネルＰＤＣＣＨを受信するだけで、全ＣＣに対して受信ＯＮ期間の延長ができ、基地局装置は、受信ＯＮ期間に移動局装置へ大量のデータを送信することができる。また、ＤＲＸパラメータは１つのＣＣのみで送ることになるので、無駄なリソースを使わなくてもよくなる。
【００２８】
移動局装置の構成を図２に示す。移動局装置の構成は、無線部１１、送信処理部１２、受信処理部１３、送信データ制御部１４、スケジューリング部１５、制御データ抽出部１６、ＤＲＸ制御部１７から構成する。スケジューリング部１５は、制御データ作成部１５１、制御データ解析部１５２、ＵＬスケジューリング部１５３から構成される。
【００２９】
ユーザーデータは送信データ制御部１４に入力され、送信データ制御部１４は、スケジューリング部１５の指示により、各データを各チャネルに割り当て、送信処理部１２に送る。送信データ制御部１４からの信号は、符号化され、変調を施される。変調された信号は、シリアル／パラレル変換され、並列化された後にＤＦＴ（Discrete Fourier Transform（離散フーリエ変換））−ＩＦＦＴ（Inverse Fast Fourier Transform（逆高速フーリエ変換））処理がされ、パラレル／シリアル変換し、時間軸の信号は直列化される。直列化された信号は、ＣＰ（Ｃｙｃｌｉｃ  Ｐｒｅｆｉｘ（サイクリック  プリフィックス）を挿入される。ＣＰが挿入された信号は、Ｄ／Ａ（ディジタル／アナログ）変換部によりアナログ信号に変換され、無線部１１により無線周波数にアップコンバートされ、送信アンテナから送信される。
【００３０】
無線部１１は、アンテナより受信した無線信号をダウンコンバートし、受信処理部１３に渡す。受信処理部１３は、無線部１１から渡された信号をＡ／Ｄ（アナログ／ディジタル）変換し、ＦＦＴ（Fast Fourier Transform（高速フーリエ変換））処理、復号化、復調処理等を行い、復調したデータを制御データ抽出部１６に渡す。制御データ抽出部１６は、下りリンク制御チャネルＰＤＣＣＨを見て、自移動局装置宛のデータかどうか判別し、自移動局装置宛のデータの場合、受信処理部で復調された下りリンク共用チャネルＰＤＳＣＨのデータを制御データとユーザーデータに分ける。制御データを上りリンク制御部に渡し、ユーザーデータを上位層に渡す。自移動局宛の下りリンク制御チャネルＰＤＣＣＨを受信した場合に、ＤＲＸ制御部１７に通知する。また、受信したデータに対する応答を返すようにスケジューリング部１５に指示する。
【００３１】
スケジューリング部１５は、ＵＬスケジューリング部１５３、制御データ解析部１５２、制御データ作成部１５１から構成され、制御データ作成部１５１は、制御データを作成し、制御データ抽出部１６が受信した下りリンクのデータの応答を作成する。制御データ解析部１５２は、制御データを解析し、上りリンクデータのスケジューリング情報はＵＬスケジューリング部１５３に渡し、間欠受信を行うためのＤＲＸパラメータはＤＲＸ制御部１７に渡す。ＵＬスケジューリング部１５３は、スケジューリング情報をもとに送信データ制御部１４を制御する。
【００３２】
ＤＲＸ制御部１７は、各処理部の電源管理を行い、スケジューリング部１５から渡されたＤＲＸパラメータで、無線部１１、送信処理部１２、受信処理部１３等の電源管理を行う。ＤＲＸ開始位置からＤＲＸ動作を開始して、受信ＯＮ期間に無線部１１、受信処理部１３の電源を入れる。そして、制御データ抽出部１６から下りリンク制御チャネルＰＤＣＣＨを受信した報告があった場合、受信ＯＮ延長期間分、受信ＯＮ期間を延ばす。また、基地局装置へのデータ送信がある場合に送信処理部１２に電源を入れる。尚、図示していないが、ＤＲＸ制御部１７は、送信データ制御部１４、制御データ抽出部１６、スケジューリング部１５の電源制御も行っても良い。
尚、送信処理部１２、受信処理部１３は、図３、図４のように各ＣＣ毎に処理部が分かれており、ＤＲＸ制御部１７から各ＣＣ処理部に電源が供給され、受信ＯＮ状態または送信状態でないＣＣは電源が切られる。
【００３３】
基地局装置は、移動局装置が使用するＣＣを決定し、移動局装置が使用するコンポーネントキャリアを移動局装置に通知する。基地局装置は、移動局装置に適したＤＲＸパラメータを設定して、移動局装置にＤＲＸパラメータを通知する。
【００３４】
（実施例２）
実施例１では、全ＣＣでＤＲＸ動作を行う例を示したが、本実施例では、間欠受信を行っている時は、１つのＣＣで間欠受信を行う例を示す。
【００３５】
移動局装置の動作を説明する。
基地局装置は、複数あるＣＣの内のいずれか１つのＣＣを通してＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。移動局装置は、ＤＲＸパラメータを受信すると、ＤＲＸパラメータを受信したＣＣのみで、基地局装置から指示されたＤＲＸ開始位置からＤＲＸ制御を開始する。そして、移動局装置は、図５のように１つのＣＣのみで間欠受信動作を行う。尚、ＤＲＸ制御をするＣＣ以外の他のＣＣは、受信処理を行わない。
【００３６】
移動局装置は、受信ＯＮ期間に下りリンク制御チャネルＰＤＣＣＨで自移動局装置宛の制御データを受信した場合、図５に示したように全ＣＣで受信ＯＮ期間を延ばす。この様にすることで、基地局装置が全ＣＣに下りリンク制御チャネルＰＤＣＣＨを送信しなくても、１つの下りリンク制御チャネルＰＤＣＣＨを送信し、移動局装置は１つの下りリンク制御チャネルＰＤＣＣＨを受信するだけで、全ＣＣに対して受信ＯＮ期間の延長ができるので、基地局装置は、延長された受信ＯＮ期間に移動局装置へ大量のデータを送信することができる。そして、移動局装置がＤＲＸ制御している間は、１つのＣＣのみだけで下りリンク制御チャネルＰＤＣＣＨのモニタリングを行うので、全ＣＣでモニタリングするよりも消費電力は少なく済む。
【００３７】
ここでは、ＤＲＸパラメータを受信したＣＣのみがＤＲＸ制御を行うこととしたが、複数あるＣＣの中でＣＣ毎に優先順位をつけて、一番優先順位のあるＣＣのみにＤＲＸ制御をさせたり、ＤＲＸパラメータの中でＤＲＸ制御を行うＣＣを指定するようにしても良い。また、複数のＣＣでＤＲＸ制御をするようにしても良い。例えば、通常時に５つのＣＣで基地局装置からの受信処理をしていて、ＤＲＸ時には２つのＣＣをモニタリングするようにしても良い。
また、複数の受信ＯＮ期間に連続して下りリンク制御チャネルＰＤＣＣＨを受信したり、ある特定の時間位置で下りリンク制御チャネルＰＤＣＣＨを受信した場合に全ＣＣで受信ＯＮ期間の延長をするようにしても良い。
【００３８】
（実施例３）
本実施例では、間欠受信を行っている時は、１つのＣＣで間欠受信を行う例を示す。
基地局装置は、複数あるＣＣの内のいずれか１つのＣＣを通してＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。移動局装置は、ＤＲＸパラメータを受信すると、ＤＲＸパラメータを受信したＣＣのみでＤＲＸ開始位置からＤＲＸ制御を開始する。尚、ＤＲＸ制御をするＣＣ以外の他のＣＣは、受信処理を行わない。
【００３９】
移動局装置は、図６に示したように１つのＣＣで間欠受信動作を行う。受信ＯＮ期間に下りリンク制御チャネルＰＤＣＣＨで自移動局装置宛の制御データを受信した場合、図６に示したようにそのＣＣで受信ＯＮ期間を延ばし、基地局装置から送信されたデータがあれば、受信処理を行う。そして、移動局装置は、次の受信ＯＮ期間に全ＣＣで受信ＯＮ状態にする。この受信ＯＮ期間で下りリンク制御チャネルＰＤＣＣＨで自移動局装置宛の制御データを受信した場合は、全ＣＣで受信ＯＮ期間を延ばす。
【００４０】
基地局装置は、全ＣＣが受信ＯＮ状態になった時にデータを送信し、移動局装置がデータを受信する。この様にすることで、基地局装置が全ＣＣに下りリンク制御チャネルＰＤＣＣＨを送信しなくても、１つの下りリンク制御チャネルＰＤＣＣＨを送信し、移動局装置は１つの下りリンク制御チャネルＰＤＣＣＨを受信するだけで、全ＣＣに対して受信状態を設定でき、移動局装置がＤＲＸ制御している間は、１つのＣＣのみだけで下りリンク制御チャネルＰＤＣＣＨのモニタリングを行うので、全ＣＣでモニタリングするよりも消費電力は少なく済む。また、移動局装置の制御が簡単に済む。
【００４１】
ここでは、ＤＲＸパラメータを受信したＣＣのみがＤＲＸ制御を行うこととしたが、複数あるＣＣの中でＣＣに対し優先順位をつけて、一番優先順位のあるＣＣのみにＤＲＸ制御をさせたり、ＤＲＸパラメータの中でＤＲＸ制御を行うＣＣを指定するようにしても良い。また、複数のＣＣでＤＲＸ制御をするようにしても良い。例えば、通常時に５つのＣＣで基地局装置からの受信処理をしていて、ＤＲＸ時には２つのＣＣをモニタリングするようにしても良い。
【００４２】
（実施例４）
本実施例では、間欠受信を行っている時は、１つのＣＣで間欠受信を行う例を示す。
基地局装置は、複数あるＣＣの内のいずれか１つのＣＣを通してＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。移動局装置は、ＤＲＸパラメータを受信すると、ＤＲＸパラメータを受信したＣＣのみでＤＲＸ開始位置から間欠受信動作を開始する。尚、移動局装置は、間欠受信動作を行うＣＣ以外の他のＣＣでは、受信処理を行わない。
【００４３】
移動局装置は、図７に示したように１つのＣＣのみでＤＲＸ制御を行う。受信ＯＮ期間に下りリンク制御チャネルＰＤＣＣＨで自移動局装置宛の制御データを受信した場合、図７に示したようにそのＣＣのみで受信ＯＮ期間を延ばす。つまり、ＤＲＸ制御中は、１つのＣＣのみでデータ受信動作を行う。そして、基地局装置は、移動局装置に大量のデータを送信したい場合、移動局装置に全ＣＣに対して受信動作させるようなメッセージ（間欠受信動作を停止させるメッセージ）をＤＲＸ動作しているＣＣを通して送る。移動局装置は、上記メッセージを受信し、メッセージ処理後に全ＣＣを連続受信状態する。この時の連続受信に戻るメッセージは、上位層（Radio Resource Control Layer：ＲＲＣ層）のメッセージでも良いし、処理を早くするために、ＭＡＣ（Medium Access Control）層などの下位層の１ビットなどの間欠受信動作の開始する／停止するようなフラグとしても良い。
【００４４】
基地局装置は、移動局装置がメッセージの処理を行い、全ＣＣが受信状態になったと判断した場合に全ＣＣにデータを送信し、移動局装置が基地局装置からのデータを受信する。この様にすることで、基地局装置が全ＣＣに下りリンク制御チャネルＰＤＣＣＨを送信しなくても、１つの下りリンク制御チャネルＰＤＣＣＨを送信し、移動局装置は１つの下りリンク制御チャネルＰＤＣＣＨを受信するだけで、全ＣＣに対して受信状態を設定でき、基本的にＤＲＸ制御している間は、１つのＣＣのみだけで下りリンク制御チャネルＰＤＣＣＨのモニタリングを行うので、全ＣＣでモニタリングするよりも消費電力は少なく済む。また、移動局装置の制御が簡単に済む。
尚、実施例２から４の移動局装置の構成は図２で説明した移動局装置の構成と同じである。
【００４５】
（実施例５）
実施例４では、連続受信は全ＣＣで動作し、間欠受信中は１つのＣＣで動作する例を示したが、本実施例では、間欠受信動作中は１つのＣＣで動作し、その他のＣＣは解放する例を示す。
基地局装置は、複数あるＣＣの内のいずれか１つのＣＣを通してＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。移動局装置は、ＤＲＸパラメータを受信すると、ＤＲＸパラメータを受信したＣＣのみでＤＲＸ開始位置からＤＲＸ制御を開始する。尚、移動局装置は間欠受信動作を行うＣＣ以外の他のＣＣは、受信処理を行わない。更に前記の間欠受信動作を行わないＣＣについては、基地局装置との接続も切断する。
【００４６】
移動局装置は、図８に示したように間欠受信動作を行う。受信ＯＮ期間に下りリンク制御チャネルＰＤＣＣＨで自移動局装置宛の制御データを受信した場合、図８に示したようにそのＣＣで受信ＯＮ期間を延ばす。つまり、ＤＲＸ制御中は、１つのＣＣのみでデータ受信動作を行う。そして、基地局装置は、移動局装置に大量のデータを送信したい場合は、移動局装置に対して他のＣＣに対しての接続メッセージをＤＲＸ動作しているＣＣを通して送る。移動局装置は、このメッセージを受信し、メッセージ処理後に全ＣＣに対して受信状態に移行する。尚、この接続メッセージは、接続するＣＣを指定するようにしてもよい。
【００４７】
基地局装置は、移動局装置がメッセージの処理を行い、全ＣＣが受信状態になったと判断した場合に全ＣＣにデータを送信し、移動局装置がこのデータを受信する。この様にすることで、基地局装置が全ＣＣに下りリンク制御チャネルＰＤＣＣＨを送信しなくても、１つの下りリンク制御チャネルＰＤＣＣＨを送信し、移動局装置は１つの下りリンク制御チャネルＰＤＣＣＨを受信するだけで、全ＣＣに対して受信状態を設定でき、基本的にＤＲＸ制御している間は、１つのＣＣのみだけで下りリンク制御チャネルＰＤＣＣＨのモニタリングを行うので、全ＣＣでモニタリングするよりも消費電力は少なく済む。また、受信処理を行わないＣＣにおいても移動局装置は、定期的に接続している基地局装置や他の基地局装置の無線品質の測定を行っている。この無線リンクの品質測定を行わなくてもよくなり、消費電力の低減になる。
【００４８】
移動局装置の構成を図９に示す。移動局装置の構成は、無線部１１、送信処理部１２、受信処理部１３、送信データ制御部１４、スケジューリング部１８、制御データ抽出部１６、ＤＲＸ制御部１７から構成する。スケジューリング部１８は、制御データ作成部１８１、制御データ解析部１８２、ＵＬスケジューリング部１８３、ＣＣ管理部１８４から構成される。
無線部１１、送信処理部１２、受信処理部１３、送信データ制御部１４、制御データ抽出部１６の動作は、図２で示した移動局装置の動作と同じである。
【００４９】
スケジューリング部１８は、ＵＬスケジューリング部１８３、制御データ解析部１８２、制御データ作成部１８１、ＣＣ管理部１８４から構成され、制御データ作成部１８１は、制御データを作成し、制御データ抽出部１６が受信した下りリンクのデータの応答を作成する。制御データ解析部１８２は、制御データを解析し、上りリンクデータのスケジューリング情報はＵＬスケジューリング部１８３に渡し、間欠受信を行うためのＤＲＸパラメータはＤＲＸ制御部１７に渡す。また、ＣＣの設定・解放情報をＣＣ管理部１８４に渡す。ＵＬスケジューリング部１８３は、スケジューリング情報をもとに送信データ制御部１４を制御する。
【００５０】
ＣＣ管理部１８４は、ＣＣの設定、解放を管理する。ＣＣが設定された場合、ＤＲＸ制御部に設定されたＣＣ処理部へ電源供給するように指示し、間欠受信動作に入った場合に解放するＣＣを処理している各処理部への電源供給を停止するように指示する。
ＤＲＸ制御部１７は、各処理部の電源管理を行い、スケジューリング部から渡されたＤＲＸパラメータで、無線部１１、送信処理部１２、受信処理部１３等の電源管理を行う。ＤＲＸ開始位置からＤＲＸ動作を開始して、受信ＯＮ期間に無線部１１、受信処理部１３の電源を入れる。そして、制御データ抽出部１６から下りリンク制御チャネルＰＤＣＣＨを受信した報告があった場合、受信ＯＮ延長期間分、受信ＯＮ期間を延ばす。また、基地局装置へのデータ送信がある場合に送信処理部１２に電源を入れる。また、スケジューリング部からの指示により、各処理部への電源管理を行う。尚、図示していないが、ＤＲＸ制御部１７は、送信データ制御部１４、制御データ抽出部１６、スケジューリング部１８の電源制御も行っても良い。
尚、送信処理部１２、受信処理部１３は、図３、図４のように各ＣＣ毎に処理部が分かれており、ＤＲＸ制御部１７から各ＣＣ処理部に電源が供給され、受信ＯＮ状態または送信状態でないＣＣは電源が切られる。
【００５１】
基地局装置は、移動局装置が使用するＣＣを決定し、移動局装置が使用するコンポーネントキャリアを移動局装置に通知する。基地局装置は、移動局装置に適したＤＲＸパラメータを設定して、移動局装置にＤＲＸパラメータを通知する。また、移動局装置が指定したＤＲＸパラメータで間欠受信を始めたと認識した場合、間欠受信制御をしているＣＣ以外のＣＣの接続を解放する。つまり、解放したＣＣにはデータを一切送信しない。基地局装置は移動局装置宛のデータが一定量以上、基地局装置のバッファに貯まった場合に、移動局装置にＣＣの接続メッセージを間欠受信をしているＣＣを通じて送り、全ＣＣで連続受信になったことを確認して、移動局装置にデータを送信する。
【００５２】
（実施例６）
実施例５では、間欠受信動作を行っていないＣＣについては、基地局装置との接続を解放していた例を示したが、本実施例では、基地局装置との接続を解放するタイミングを個々のＣＣ毎に設定する例を示す。
移動局装置が通常受信状態から間欠受信状態に移行した段階では、まだ、データ受信の頻度は多くなる可能性があるが、長い期間のＤＲＸ受信状態の場合、大量のデータ受信の可能性は少ない。つまり、ＤＲＸ受信状態に移行した初期の期間は、複数のＣＣでＤＲＸ受信をして、順次、使用するＣＣを少なくすることで消費電力の削減になる。
【００５３】
基地局装置は、全ＣＣに共通のＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。また、ＤＲＸ後の各ＣＣの有効な期間も同時に通知する。移動局装置は、ＤＲＸパラメータを受信すると、全ＣＣに対してＤＲＸ開始位置からＤＲＸ制御を開始する。移動局装置は間欠受信動作を行う。
【００５４】
受信ＯＮ期間に下りリンク制御チャネルＰＤＣＣＨで自移動局装置宛の制御データを受信した場合、図１０に示した様に有効な全ＣＣで受信ＯＮ期間を延ばす。つまり、ＤＲＸ制御中は、有効なＣＣでデータ受信動作を行う。移動局装置は、各ＣＣにおいてＣＣの有効期間が過ぎると、ＣＣで受信処理を停止して、ＣＣを解放する。尚、ＣＣの有効期間は、ＤＲＸに入った時からの期間としても良いし、ＤＲＸ中のデータ受信が最後にあった時からの期間としても良い。
【００５５】
そして、基地局装置は、移動局装置に大量のデータを送信したい場合は、移動局装置に対して他のＣＣに対しての接続メッセージをＤＲＸ動作しているＣＣを通して送る。
基地局装置は、移動局装置がメッセージの処理を行い、全ＣＣが受信状態になったと判断した場合に全ＣＣにデータを送信し、移動局装置がこのデータを受信する。この様にすることで、基地局装置が全ＣＣに下りリンク制御チャネルＰＤＣＣＨを送信しなくても、１つの下りリンク制御チャネルＰＤＣＣＨを送信し、移動局装置は１つの下りリンク制御チャネルＰＤＣＣＨを受信するだけで、全ＣＣに対して受信状態を設定でき、基本的にＤＲＸ制御している間は、１つのＣＣのみだけで下りリンク制御チャネルＰＤＣＣＨのモニタリングを行うので、全ＣＣでモニタリングするよりも消費電力は少なく済む。また、受信処理を行わないＣＣにおいても移動局装置は、定期的に接続している基地局装置や他の基地局装置の無線品質の測定を行っている。この無線リンクの品質測定を行わなくてもよくなり、消費電力の低減になる。
尚、本実施例では、全ＣＣにおいて共通のＤＲＸパラメータとしたが、ＣＣ毎にＤＲＸのパラメータが異なってもよい。これは、ＣＣ毎に有効期間を設定しているので、個別に動作しても問題ない。
【００５６】
尚、移動局装置の構成は図９で説明した移動局装置の構成と同じである。
無線部１１、送信処理部１２、受信処理部１３、送信データ制御部１４、スケジューリング部１８、制御データ抽出部１６、ＤＲＸ制御部１７から構成する。スケジューリング部１８において、制御データ作成部１８１、制御データ解析部１８２、ＵＬスケジューリング部１８３の動作は同じである。
ＣＣ管理部１８４は、ＣＣの設定、解放を管理する。ＣＣが設定された場合、ＤＲＸ制御部に設定されたＣＣ処理部へ電源供給するように指示する。基地局装置から指示されたＤＲＸ後の各ＣＣの有効な期間が過ぎた場合に有効期間の過ぎたＣＣを処理している各処理部への電源供給を停止するように指示する。
【００５７】
基地局装置は、移動局装置が使用するＣＣを決定し、移動局装置が使用するＣＣを移動局装置に通知する。基地局装置は、移動局装置に適したＤＲＸパラメータを設定して、移動局装置にＤＲＸパラメータとＤＲＸ後の各ＣＣの有効な期間を通知する。また、移動局装置が指定したＤＲＸパラメータで間欠受信を始め、設定した各ＣＣの有効期間が過ぎた場合に、ＣＣの接続を解放する。基地局装置は移動局装置宛のデータが一定量以上、基地局装置のバッファに貯まった場合に、移動局装置にＣＣの接続メッセージを間欠受信をしているＣＣを通じて送り、全ＣＣで連続受信になったことを確認して、移動局装置にデータを送信する。
【００５８】
（実施例７）
実施例２〜６までの間欠受信動作中においては、全ＣＣで間欠受信を行うのではなく、１つのＣＣで間欠受信動作を行い、その他のＣＣでは受信動作を停止させたり、基地局装置との接続を解放したりして、間欠受信動作時の消費電力を低減させていたが、全ＣＣで間欠受信動作をさせながら、間欠受信する方法を以下に説明する。
これは、各ＣＣに対してＤＲＸパラメータを個別に設定し、長いＤＲＸ間隔を設定することで実現できる。現状の最大のＤＲＸ間隔は２.５６秒であり、これよりも長い値を設定することで、ＣＣが受信動作を停止させるように見せることができる。例えば、基地局装置は、ＤＲＸ間隔が、１０秒、１００秒、１０００秒のような長い間隔値をいくつかのＣＣに設定する。
【００５９】
基地局装置は、各ＣＣ毎のＤＲＸパラメータ（ＤＲＸ間隔、下りリンク制御チャネルＰＤＣＣＨの受信ＯＮ期間、下りリンク制御チャネルＰＤＣＣＨの受信ＯＮ期間内に下りリンク制御チャネルＰＤＣＣＨを受信した場合に受信ＯＮ期間を延ばす期間、ＤＲＸ開始位置など）を移動局装置に通知する。移動局装置は、ＤＲＸパラメータを受信すると、各ＣＣに対して指定されたＤＲＸ開始位置からＤＲＸ制御を開始し、移動局装置は間欠受信動作を行う。受信ＯＮ期間に下りリンク制御チャネルＰＤＣＣＨを受信した場合、下りリンクＰＤＣＣＨを受信したＣＣで受信ＯＮ期間を延ばす。基地局装置は、受信ＯＮ期間のＣＣに対して、データを送信する。
【００６０】
そして、基地局装置は、移動局装置に大量のデータを送信したい場合は、移動局装置の受信ＯＮ期間のＣＣに対して、連続受信に戻る接続メッセージを送る。移動局装置は、基地局装置からの連続受信に戻るメッセージを受信すると全ＣＣに対してＤＲＸの動作を停止し、連続受信に戻る。基地局装置は、移動局装置がメッセージの処理を行い、全ＣＣが受信状態になったと判断した場合に全ＣＣにデータを送信し、移動局装置がこのデータを受信する。この時の連続受信に戻るメッセージは、上位層のメッセージでも良いし、処理を早くするために、ＭＡＣ（Medium Access Control）層などの下位層の１ビットなどのフラグとしても良い。
【００６１】
例えば、４つのＣＣを使用して通信を行っている場合で、基地局装置が移動局装置に対し、１つのＣＣで１.２８秒のＤＲＸ間隔で動作を行い、１つのＣＣで、１０.２４秒のＤＲＸ間隔で動作を行い、残りのＣＣで１０２.４秒のＤＲＸ間隔で動作を行う設定をした場合、１０２.４秒で設定された２つのＣＣは、ほとんど受信停止状態になり、１つのＣＣは通常より長いＤＲＸ動作を行うので、ＣＣを受信停止にしたり、解放したりすることと同様の効果がえられる。この様にすることで、１つのＣＣでＤＲＸ動作を行うことと変わりないので消費電力は少なく済む。尚、移動局装置の構成は図２で説明した移動局装置の構成と同じである。
【００６２】
実施例１〜７では、Ｓｈｏｒｔ  ＤＲＸとＬｏｎｇ  ＤＲＸの区別無く説明したが、Ｓｈｏｒｔ  ＤＲＸから上記のようなＤＲＸ制御を行っても良いし、Ｌｏｎｇ  ＤＲＸからでも良い。
【００６３】
この発明の一態様においては、第１の技術手段は、複数のコンポーネントキャリアを使用して基地局装置と接続している移動局装置において、間欠受信時には、１つの間欠受信パラメータを移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、全コンポーネントキャリアで受信ＯＮ期間を延長することを特徴とした移動局装置である。
【００６４】
第２の技術手段は、複数のコンポーネントキャリアを使用して基地局装置と接続している移動局装置において、間欠受信時には、１つのコンポーネントキャリアで制御チャネルをモニタリングする動作を行い、その他のコンポーネントキャリアでは、制御チャネルのモニタリングを行なわない動作を行い、受信ＯＮ期間に自移動局装置宛の制御データを受信した場合に、受信ＯＮ延長期間に接続している全コンポーネントキャリアで受信動作を行うことを特徴した移動局装置である。
【００６５】
第３の技術手段は、複数のコンポーネントキャリアを使用して基地局装置と接続している移動局装置において、間欠受信時には、１つのコンポーネントキャリアで制御チャネルをモニタリングする動作を行い、その他のコンポーネントキャリアでは、制御チャネルのモニタリングを行なわない動作を行い、受信ＯＮ期間に自移動局装置宛の制御チャネルを受信した場合に、次の受信ＯＮ期間に接続している全コンポーネントキャリアで受信動作を行う移動局装置である。
【００６６】
第４の技術手段は、複数のコンポーネントキャリアを使用して基地局装置と接続している移動局装置において、間欠受信時には、１つのコンポーネントキャリアで制御チャネルをモニタリングする動作を行い、その他のコンポーネントキャリアは基地局装置との接続を解放する移動局装置である。
【００６７】
第５の技術手段は、複数のコンポーネントキャリアを使用して基地局装置と移動局装置が接続している通信システムにおいて、基地局装置が移動局装置にＲＲＣメッセージで間欠受信動作を指示し、移動局装置が間欠受信を行っている場合に、基地局装置が移動局装置にＭＡＣメッセージを送信して、間欠受信動作を停止させる通信システムである。
【００６８】
第６の技術手段は、複数のコンポーネントキャリアを使用して基地局装置と接続している移動局装置による間欠受信方法において、移動局装置が、間欠受信時には、１つの間欠受信パラメータを該移動局装置が利用している全コンポーネントキャリアに対して適用し、全コンポーネントキャリアで制御チャネルをモニタリングする動作を行い、受信ＯＮ期間に１つ以上のコンポーネントキャリアで自移動局装置宛の制御チャネルを受信した場合に、全コンポーネントキャリアで受信ＯＮ期間を延長する間欠受信方法である。
【００６９】
第７の技術手段は、複数のコンポーネントキャリアを使用して基地局装置と接続している移動局装置による間欠受信方法において、移動局装置が、間欠受信時には、１つのコンポーネントキャリアで制御チャネルをモニタリングする動作を行い、その他のコンポーネントキャリアでは、制御チャネルのモニタリングを行なわない動作を行い、受信ＯＮ期間に自移動局装置宛の制御データを受信した場合に、受信ＯＮ延長期間に接続している全コンポーネントキャリアで受信動作を行う間欠受信方法。
【００７０】
第８の技術手段は、複数のコンポーネントキャリアを使用して基地局装置と接続している移動局装置による間欠受信方法において、移動局装置が、間欠受信時には、１つのコンポーネントキャリアで制御チャネルをモニタリングする動作を行い、その他のコンポーネントキャリアでは制御チャネルのモニタリングを行なわない動作を行い、受信ＯＮ期間に自移動局装置宛の制御チャネルを受信した場合に、次の受信ＯＮ期間に接続している全コンポーネントキャリアで受信動作を行う間欠受信方法である。
【００７１】
第９の技術手段は、複数のコンポーネントキャリアを使用して基地局装置と接続している移動局装置による間欠受信方法おいて、移動局装置が、間欠受信時には、１つのコンポーネントキャリアで制御チャネルをモニタリングする動作を行い、その他のコンポーネントキャリアは基地局装置との接続を解放する間欠受信方法である。
【００７２】
第１０の技術手段は、複数のコンポーネントキャリアを使用して基地局装置と移動局装置が接続している通信システムで移動局装置が間欠受信を行うための間欠受信方法において、基地局装置が移動局装置にＲＲＣメッセージで間欠受信動作を指示し、移動局装置が間欠受信を行っている場合に、基地局装置が移動局装置にＭＡＣメッセージを送信して、間欠受信動作を停止させる間欠受信方法である。
【符号の説明】
【００７３】
１１…無線部、１２…送信処理部、１３…受信処理部、１４…送信データ制御部、１５…スケジューリング部、１６…制御データ抽出部、１７…ＤＲＸ制御部、１８…スケジューリング部、１５１…制御データ作成部、１５２…制御データ解析部、１５３…ＵＬスケジューリング部、１８１…制御データ作成部、１８２…制御データ解析部、１８３…ＵＬスケジューリング部、１８４…ＣＣ管理部。
【図１】
2014158298.tif 000003
【図２】
2014158298.tif 000004
【図３】
2014158298.tif 000005
【図４】
2014158298.tif 000006
【図５】
2014158298.tif 000007
【図６】
2014158298.tif 000008
【図７】
2014158298.tif 000009
【図８】
2014158298.tif 000010
【図９】
2014158298.tif 000011
【図１０】
2014158298.tif 000012
【図１１】
2014158298.tif 000013
【図１２】
2014158298.tif 000014
【図１３】
2014158298.tif 000015
【図１４】
2014158298.tif 000016
【図１５】
2014158298.tif 000017
【図１６】
2014158298.tif 000018
【図１７】
2014158298.tif 000019